(57)【要約】      （修正有）【課題】断路器の機械ロック状態で電気ロックが解除されたときに、作業員が電気的に断路器を操作し断路器を破損しないよう、機械ロック状態では電気的操作ができないようにする。【解決手段】送電線路を開路または閉路するためのブレード１１４を有する断路器のロック装置１００であって、前記ブレードに連動して回転し、外縁部に切欠き１０２Ａ，１０２Ｂを有する回転盤１０１と、押圧されていない状態では前記回転盤を電気的にロックし、押圧された状態では前記回転盤の電気的なロックを解除するプッシュスイッチ１０６と、前記切欠きに入れると前記回転盤を機械的にロックする第１の状態となり、前記切欠きから外れると前記プッシュスイッチを押圧する第２の状態となるロック部材１０３とを備える。【選択図】図１
2018098006.tif 000002
【特許請求の範囲】
【請求項１】
送電線路を開路または閉路するためのブレードを有する断路器のロック装置であって、
前記ブレードに連動して回転し、外縁部に切欠きを有する回転盤と、
押圧されていない状態では前記回転盤を電気的にロックし、押圧された状態では前記回転盤の電気的なロックを解除するプッシュスイッチと、
前記切欠きに入れると前記回転盤を機械的にロックする第１の状態となり、前記切欠きから外れると前記プッシュスイッチを押圧する第２の状態となるロック部材と
を備えることを特徴とする断路器のロック装置。
【請求項２】
前記ロック部材は、さらに、前記切欠きから外れて、かつ前記プッシュスイッチを押圧していない第３の状態となる
ことを特徴とする請求項１に記載の断路器のロック装置。
【請求項３】
前記ロック部材が前記第２の状態から動かないように前記ロック部材を固定する固定部材を
さらに備えることを特徴とする請求項１及び請求項２に記載の断路器のロック装置。
【請求項４】
前記ロック部材が前記第３の状態から動かないように前記ロック部材を固定する固定部材を
さらに備えることを特徴とする請求項１ないし請求項３に記載の断路器のロック装置。
【発明の詳細な説明】
【技術分野】
【０００１】
本発明は、断路器のロック装置に関する。
【背景技術】
【０００２】
例えば、円盤の回転がロックされた状態において、操作装置に電源供給が行われないように誤操作を防止する断路器が知られている。（例えば特許文献１）。
【先行技術文献】
【特許文献】
【０００３】
【特許文献１】特許第４９６９２８０号
【発明の概要】
【発明が解決しようとする課題】
【０００４】
特許文献１に係る断路器は、ロック装置を含んで構成されている。ロック装置は、機械的ロック装置及び電気的ロック装置を有する。機械的ロック装置は、回転盤の外縁部にある切欠きにロック部材を嵌め込むことにより、回転盤の回転運動を機械ロックする。電気的ロック装置は、機械的ロック装置とは独立して機能を発揮する電気式ロック装置から、モータ部に対して起動用の電力供給を遮断することにより、モータ部の回転運動を電気ロックする。
【０００５】
しかし、特許文献１に係る断路器では、機械ロックの状態において電気ロックが解除されると、作業員が電気的に断路器を操作することにより、断路器が損傷する虞があった。
【課題を解決するための手段】
【０００６】
前述した課題を解決する主たる本発明は、送電線路を開路または閉路するためのブレードを有する断路器のロック装置であって、前記ブレードに連動して回転し、外縁部に切欠きを有する回転盤と、押圧されていない状態では前記回転盤を電気的にロックし、押圧された状態では前記回転盤の電気的なロックを解除するプッシュスイッチと、前記切欠きに入れると前記回転盤を機械的にロックする第１の状態となり、前記切欠きから外れると前記プッシュスイッチを押圧する第２の状態となるロック部材とを備えることを特徴とする。
【０００７】
本発明の他の特徴については、添付図面及び本明細書の記載により明らかとなる。
【発明の効果】
【０００８】
本発明によれば、機械ロックを解除しなければ電気ロックを解除できない機構を備えるため、機械ロックがなされている状態において電気ロックが解除されることで、断路器が操作されることによる機械的な損傷を回避することができる。
【図面の簡単な説明】
【０００９】
【図１】第１実施形態にかかわる断路器のロック装置の一例を示す斜視図である。
【図２Ａ】第１実施形態に係るロック装置の第１の状態を−Ｚ方向からみたときの一例を示す図である。
【図２Ｂ】第１実施形態に係るロック装置の第１の状態を＋Ｙ方向からみたときの一例を示す図である。
【図３Ａ】第１実施形態に係るロック装置の第２の状態を−Ｚ方向からみたときの一例を示す図である。
【図３Ｂ】第１実施形態に係るロック装置の第２の状態を＋Ｙ方向からみたときの一例を示す図である。
【図４Ａ】第１実施形態に係るロック装置の第３の状態を−Ｚ方向からみたときの一例を示す図である。
【図４Ｂ】第１実施形態に係るロック装置の第３の状態を＋Ｙ方向からみたときの一例を示す図である。
【図５Ａ】第２実施形態に係るロック装置を−Ｚ方向からみたときの一例を示す図である。
【図５Ｂ】第２実施形態に係るロック装置を＋Ｙ方向からみたときの一例を示す図である。
【図６Ａ】第３実施形態に係るロック装置を−Ｚ方向からみたときの一例を示す図である。
【図６Ｂ】第３実施形態に係るロック装置を＋Ｙ方向からみたときの一例を示す図である。
【図７Ａ】第４実施形態に係るロック装置を−Ｚ方向からみたときの一例を示す図である。
【図７Ｂ】第４実施形態に係るロック装置を＋Ｙ方向からみたときの一例を示す図である。
【発明を実施するための形態】
【００１０】
本明細書および添付図面の記載により、少なくとも以下の事項が明らかとなる。なお、図１〜図４Ａ、図４Ｂにおいて、Ｘ軸は後述する固定部材１０４，１０５の長手方向に沿った軸であり、Ｙ軸は後述する回転軸１１３の軸方向に沿った軸であり、Ｚ軸は後述する支点棒１０７の軸方向に沿った軸である。また、図５〜図７Ａ、図７Ｂにおいても同様にＸ軸、Ｙ軸及びＺ軸を定義されるものとする。また、図１〜図７Ａ、図７Ｂにおいて、同一の部材については同一の数字を付して説明する。
【００１１】
＝＝＝ロック装置１００＝＝＝
図１を参照しつつ、ロック装置１００について説明をする。図１は、第１実施形態にかかわる断路器１０００のロック装置１００の一例を示す斜視図である。断路器１０００は、電力線（不図示）を開放又は接続する装置である。図１に示すように、断路器１０００は、ブレード１１４、回転軸１１３、ロック装置１００及びモータ部１１０を含んで構成されている。
【００１２】
ブレード１１４は、送電線路を開路又は閉路する接続部材である。ブレード１１４は、回転軸１１３を介して回転盤１０１と接続されている。回転盤１０１は、モータ部１１０と同軸で結合されている。回転盤１０１は、モータ部１１０の回転力が伝達されて回転する。
【００１３】
ロック装置１００は、回転盤１０１、ロック部材１０３、固定部材１０４，１０５及びプッシュスイッチ１０６を含んで構成される。
【００１４】
回転盤１０１は、例えば円盤形状を呈する鋼製部材である。回転盤１０１は、回転軸１１３及びモータ部１１０と同軸で結合されている。回転盤１０１は、回転軸１１３及びモータ部１１０と共通のＹ軸に沿う軸を中心として、両方向に夫々半回転ずつできるように構成されている。回転盤１０１は、例えば外縁部に２つの切欠き１０２Ａ，１０２Ｂを備える。
【００１５】
夫々の切欠き１０２Ａ，１０２Ｂは、回転盤１０１の回転軸１１３を挟んで反対側に設けられている。切欠き１０２Ａ，１０２Ｂは、後述するロック部材１０３の平面１０３Ｄを含む片１０３Ｉを出し入れすることができる程度のＺ方向の幅を有する。切欠き１０２Ａ，１０２Ｂは、後述するロック部材１０３の平面１０３ＦがＸ軸とＺ軸とに沿った平面（以下「ＸＺ平面」と称する。）に沿って固定面１１２と対向して接触する位置に配置されている状態において、切欠き１０２Ａ，１０２Ｂに片１０３Ｉが収まるように形成されている。
【００１６】
ロック部材１０３は、例えば平板の形状を呈する鋼板部材である。ロック部材１０３のＸ軸とＹ軸とに沿った平面（以下、「ＸＹ平面」と称する。）に沿う面は、例えば略六角形状を呈している。ロック部材１０３は、Ｚ軸に沿う方向に厚みを有している。ロック部材１０３の周面は、略四角形状を呈する六つの平面１０３Ａ〜１０３Ｆで形成されている。ロック部材１０３は、後述する第１の状態において平面１０３Ｂと固定面１１２が対向するように形成され、後述する第２の状態において平面１０３Ｂと固定面１１２が対向するように形成されている。
【００１７】
固定面１１２は、例えばコンクリートで打設された平坦な面である。固定面１１２は、例えば後述する第３の状態において少なくとも平面１０３Ａと対向する領域に窪み１１５を有する。窪み１１５は、ロック部材１０３が回動するときに、固定面１１２とロック部材１０３とが接触しない程度に固定面１１２を−Ｙ方向に掘削して設けられている。
【００１８】
ロック部材１０３は、例えば平面１０３Ｆが固定面１１２に対向して接触する位置に配置されているとき、平面１０３Ｄを含む片１０３Ｉが切欠き１０２Ａ又は１０２Ｂに入り込むように配設されている。ロック部材１０３は、例えば平面１０３Ｂが固定面１１２に対向して接触する位置に配置されているとき、平面１０３Ｂが後述するプッシュスイッチ１０６を押圧するように配設されている。
【００１９】
ロック部材１０３は、例えば支点棒１０７を介して固定部材１０４，１０５と連結される。ロック部材１０３は、例えば支点棒１０７が貫通する支点穴１０３Ｈを有する。支点穴１０３Ｈは、支点棒１０７を挿通できる程度の広がりを有する円形の穴である。ロック部材１０３は、例えば支点穴１０３ＨのＺ方向の中心と支点棒１０７のＺ方向の中心とが重なるように、支点棒１０７と結合されている。支点穴１０３Ｈは、後述する固定部材１０４，１０５の支点穴１０４Ｄ，１０５Ｄと、Ｚ軸に沿って同軸となるように穿設されている。ロック部材１０３は、支点棒１０７を支軸として固定部材１０４，１０５により回動可能に支持されている。ロック部材１０３は、支点棒１０７を中心にしてＺ軸回りに時計方向及び反時計方向に回動する。
【００２０】
ロック部材１０３は、例えばＸＹ平面に沿って設置されている後述する固定部材１０４と固定部材１０５との間に挟み込まれるように間隙を有して並行して設置されている。
【００２１】
ロック部材１０３は、例えば連結穴１０３Ｇを有する。ロック部材１０３は、連結穴１０３Ｇと、後述する固定部材１０４，１０５の連結穴１０４Ａ，１０５Ａとの組み合わせ、連結穴１０４Ｂ，１０５Ｂとの組み合わせ、又は連結穴１０４Ｃ，１０５Ｃとの組み合わせの何れか１つの組み合わせにおいて、ロックピン１０９が挿通され、ロックピン１０９が挿通された位置で回動を停止する。
【００２２】
連結穴１０３Ｇは、例えば平面１０３Ｆが固定面１１２と対向して接触する位置でロック部材１０３が停止するとき、固定部材１０４，１０５の連結穴１０４Ａ，１０５Ａと、Ｚ軸に沿って同軸となる。連結穴１０３Ｇは、例えば平面１０３Ａと固定面１１２の窪み１１５とが対向する位置でロック部材１０３の回動を停止させたとき、固定部材１０４，１０５の連結穴１０４Ｂ，１０５Ｂと、Ｚ軸に沿って同軸となる。連結穴１０３Ｇは、例えば平面１０３Ｂが固定面１１２と対向して接触する位置でロック部材１０３が停止するとき、固定部材１０４，１０５の連結穴１０４Ｃ，１０５Ｃと、Ｚ軸に沿って同軸となる。
【００２３】
固定部材１０４，１０５は、例えば平板の形状を呈する鋼板部材である。固定部材１０４，１０５は、固定面１１２上に固定されている。固定部材１０４，１０５は、例えば後述する連結穴１０４Ａ〜１０４Ｃ，１０５Ａ〜１０５Ｃが穿設されている面が、ＸＹ平面に沿うように固定面１１２上に設置されている。
【００２４】
固定部材１０４，１０５は、例えば連結穴１０４Ａ〜１０４Ｃ，１０５Ａ〜１０５Ｃと、支点穴１０４Ｄ，１０５Ｄと、を有する。固定部材１０４，１０５は、ロック部材１０３の連結穴１０３Ｇと、連結穴１０４Ａ，１０５Ａとの組み合わせ、連結穴１０４Ｂ，１０５Ｂとの組み合わせ、又は連結穴１０４Ｃ，１０５Ｃとの組み合わせの何れか１つの組み合わせにおいて、ロックピン１０９が挿通され、ロックピン１０９を介してロック部材１０３と連接される。ロック部材１０３は、ロックピン１０９が挿通された位置で回動を停止する。
【００２５】
連結穴１０４Ａ，１０５Ａは、例えば平面１０３Ｆが固定面１１２と対向して接触する位置でロック部材１０３が停止するとき、連結穴１０３ＧとＺ軸に沿って同軸となる。連結穴１０４Ｂ，１０５Ｂは、例えば平面１０３Ａが固定面１１２と対向して接触する位置でロック部材１０３が停止するとき、連結穴１０３ＧとＺ軸に沿って同軸となる。連結穴１０４Ｃ，１０５Ｃは、例えば平面１０３Ｂが固定面１１２と対向して接触する位置でロック部材１０３が停止するとき、連結穴１０３ＧとＺ軸に沿って同軸となる。
【００２６】
支点穴１０４Ｄ，１０５Ｄは、支点棒１０７を挿入する穴である。支点穴１０４Ｄ，１０５Ｄは、支点棒１０７を挿通できる程度の広がりを有する円形の穴である。
【００２７】
支点棒１０７は、例えば棒状の鋼製部材である。支点棒１０７は、Ｚ軸に沿った両端が固定部材１０４，１０５の支点穴１０４Ｄ，１０５Ｄに挿入されている。
【００２８】
プッシュスイッチ１０６は、例えばスイッチ部１０６Ａ及びスイッチ胴体部１０６Ｂを含んで構成されている。
【００２９】
スイッチ部１０６Ａは、例えば円柱形状を呈する鋼製部材である。スイッチ部１０６Ａは、例えば固定面１１２から上方（＋Ｙ方向）に向かって突出するように設置される。スイッチ部１０６Ａは、例えば平面１０３Ｂが固定面１１２と対向して接触しているときに、平面１０３Ｂによって固定面１１２の方向（−Ｙ方向）に押圧されるように設置される。
【００３０】
スイッチ胴体部１０６Ｂは、例えば円柱形状を呈する鋼製部材である。スイッチ胴体部１０６Ｂは、例えば固定面１１２より下（−Ｙ方向）に一部または全部が隠れるように設置されている。スイッチ胴体部１０６Ｂは、例えばスイッチ部１０６Ａと一体である。スイッチ胴体部１０６Ｂは、スイッチ部１０６Ａが押圧されたとき、スイッチ部１０６Ａの一部がスイッチ胴体部１０６Ｂの内部に入り込み、スイッチ胴体部１０６Ｂの内部の電気的な接点を接続させるように構成されている。
【００３１】
プッシュスイッチ１０６は、電気式ロック装置１１１と信号線１０８によって接続されている。スイッチ部１０６Ａが押圧されていない状態では、モータ部１１０を起動させるために必要な電力が遮断され（以下、「電気ロック」と称する。）、スイッチ部１０６Ａが押圧されている状態では、モータ部１１０を起動させるために必要な電力を供給するために、電気ロックが解除される。スイッチ胴体部１０６Ｂは、スイッチ部１０６Ａが押圧され、電気的な接点が接続されると電気ロックを解除する信号（以下、「ロック解除信号」と称する。）を電気式ロック装置１１１に出力する。
【００３２】
＝＝＝第１の状態＝＝＝
図２Ａ、図２Ｂを参照しつつ、第１の状態について説明する。図２Ａは、第１実施形態に係るロック装置１００の第１の状態を−Ｚ方向からみたときの一例を示す図である。図２Ｂは、第１実施形態に係るロック装置１００の第１の状態を＋Ｙ方向からみたときの一例を示す図である。
【００３３】
第１の状態とは、例えばロック部材１０３の平面１０３Ｆが固定面１１２と対向して接触した位置でロック部材１０３が停止している状態である。そして、ロック部材１０３の片１０３Ｉが切欠き１０２Ａ又は１０２Ｂに入り込んでいるため、断路器１０００を機械的に操作できない、所謂「機械ロック」の状態になっている。又、ロック部材１０３がプッシュスイッチ１０６のスイッチ部１０６Ａを押圧していないため、断路器１０００を電気的に操作できない、所謂「電気ロック」の状態である。
【００３４】
又、ロック部材１０３の連結穴１０３Ｇと、固定部材１０４，１０５の連結穴１０４Ａ，１０５Ａと、をロックピン１０９で連通し、ロック部材１０３を固定している状態である。
【００３５】
第１の状態とは、機械ロック及び電気ロックのいずれもが解除されていない状態であって、送電線路が開路時（以下、「点検時」と称する。）において行われる状態である。
【００３６】
＝＝＝第２の状態＝＝＝
図３Ａ、図３Ｂを参照しつつ、第２の状態について説明する。図３Ａは、第１実施形態に係るロック装置１００の第２の状態を−Ｚ方向からみたときの一例を示す図である。図３Ｂは、第１実施形態に係るロック装置１００の第２の状態を＋Ｙ方向からみたときの一例を示す図である。
【００３７】
第２の状態とは、例えばロック部材１０３の平面１０３Ｂが固定面１１２と対向して接触した位置でロック部材１０３が停止している状態である。そして、ロック部材１０３の片１０３Ｉが切欠き１０２Ａ又は１０２Ｂから外れているため、断路器１０００を機械的に操作できる、所謂「機械ロック」が解除された状態である。又、ロック部材１０３がプッシュスイッチ１０６のスイッチ部１０６Ａを押圧しているため、断路器１０００を電気的に操作できる、所謂「電気ロック」が解除された状態である。スイッチ部１０６Ａは、押圧されると、ロック解除信号を電気式ロック装置１１１に出力する。電気式ロック装置１１１は、ロック解除信号を入力すると電気的ロックを解除する。これにより、作業員は、電気的に断路器１０００を操作することが可能となる。
【００３８】
又、ロック部材１０３の連結穴１０３Ｇと、固定部材１０４，１０５の連結穴１０４Ｃ，１０５Ｃと、をロックピン１０９で連通し、ロック部材１０３を固定している状態である。
【００３９】
第２の状態は、機械的ロック及び電気的ロックのいずれもが解除されている状態であって、送電線路が閉路時（以下、「通常時」と称する。）において行われる状態である。
【００４０】
＝＝＝第３の状態＝＝＝
図４Ａ、図４Ｂを参照しつつ、第３の状態について説明する。図４Ａは、第１実施形態に係るロック装置１００の第３の状態を−Ｚ方向からみたときの一例を示す図である。図４Ｂは、第１実施形態に係るロック装置１００の第３の状態を＋Ｙ方向からみたときの一例を示す図である。
【００４１】
第３の状態とは、例えばロック部材１０３の平面１０３Ａと固定面１１２の窪み１１５とが対向して、ロック部材１０３にロックピン１０９が挿入されている状態である。そして、ロック部材１０３の片１０３Ｉが切欠き１０２Ａ又は１０２Ｂから外れているため、断路器１０００を機械的に操作できる、所謂「機械ロック」が解除された状態である。又、ロック部材１０３がプッシュスイッチ１０６のスイッチ部１０６Ａを押圧していないため、断路器１０００を電気的に操作できない、所謂「電気ロック」の状態になっている。
【００４２】
又、ロック部材１０３の連結穴１０３Ｇと、固定部材１０４，１０５の連結穴１０４Ｂ，１０５Ｂと、をロックピン１０９で連通し、ロック部材１０３を固定している状態である。
【００４３】
第３の状態は、機械ロックは解除されているが、電気ロックは解除されていない状態であって、点検時等において作業員が断路器１０００を機械的に操作する状況で行われる状態である。第３の状態では、外部からの予期しない電気的信号の入力があった場合であっても、断路器１０００は電気的に動作しないため、作業員の安全を確保できる。
【００４４】
＝＝＝操作手順＝＝＝
以下、ロック装置１００の操作手順の一例を説明する。
【００４５】
通常時は、主に第２の状態である。第２の状態は、機械ロック及び電気ロックのいずれもが解除されている状態である。作業員は、断路器１０００を機械的及び電気的に操作することができる。
【００４６】
点検時は、作業員がロック部材１０３を第２の状態から第３の状態又は第１の状態へ移動させ、点検終了時は、第３の状態又は第１の状態から第２の状態へ移動させるが、以下では、一例としてロック部材１０３を第２の状態から第３の状態へ移動させ、第３の状態から第１の状態へ移動させ、さらに第１の状態から第２の状態へ移動させる手順について説明する。
【００４７】
まず、本作業は、第２の状態において、作業員が例えばＺ軸に沿って同軸にある連結穴１０３Ｇ，１０４Ｃ，１０５Ｃからロックピン１０９を引き抜き、ロック部材１０３を図３Ａにおける支点棒１０７を中心として時計方向に回動させる。次に、作業員は、ロック部材１０３の連結穴１０３Ｇが、固定部材１０４，１０５の連結穴１０４Ｂ，１０５ＢとＺ軸に沿って同軸となる位置で、ロックピン１０９を、連結穴１０３Ｇ，１０４Ｂ，１０５Ｂ、に挿通させて、ロック部材１０３を第３の状態で停止させる。点検時は、第３の状態において、作業員が断路器１０００を機械的に操作する。
【００４８】
さらに、作業員がロック部材１０３を第３の状態から第１の状態へ移動させる場合について説明する。まず、本作業は、第３の状態において、作業員が例えば連結穴１０３Ｇ，１０４Ｂ，１０５Ｂからロックピン１０９を引き抜き、ロック部材１０３を図４Ａにおける支点棒１０７を中心として時計方向に回動させる。作業員は、ロック部材１０３が切欠き１０２Ａに入り込むのを確認する。例えば、ロック部材１０３が切欠き１０２Ａに入り込んだ状態は、断路器１０００が開いている状態である。次に、作業員は、ロック部材１０３の連結穴１０３Ｇが、固定部材１０４，１０５の連結穴１０４Ａ，１０５ＡとＺ軸に沿って同軸となる位置で、ロックピン１０９を、連結穴１０３Ｇ，１０４Ａ，１０５Ａに挿通させ、ロック部材１０３を第１の状態で固定する。点検時は、第１の状態において、作業員が断路器１０００を機械的及び電気的に操作できないようにする場合がある。
【００４９】
点検が終了したとき、作業員は、ロック部材１０３を第１の状態から第２の状態へ移動させる。まず、本作業は、第１の状態において、作業員が例えば連結穴１０３Ｇ，１０４Ａ，１０５Ａからロックピン１０９を引き抜き、ロック部材１０３を図２Ａにおける支点棒１０７を中心として反時計方向に回動させる。作業員は、ロック部材１０３が切欠き１０２Ａから外れるのを確認する。次に、作業員は、ロック部材１０３の連結穴１０３Ｇが、固定部材１０４，１０５の連結穴１０４Ｃ，１０５ＣとＺ軸に沿って同軸となる位置で、ロックピン１０９を、連結穴１０３Ｇ，１０４Ｃ，１０５Ｃに挿通させる。本操作は、ロック部材１０３を第２の状態で固定するものである。点検が終了したときは、第２の状態において、作業員が断路器１０００を機械的及び電気的に操作することができる。
【００５０】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば以下のようなものも含まれることとする。
【００５１】
＝＝＝その他の実施形態＝＝＝
第１実施形態における固定部材１０４，１０５の支点穴１０４Ｄ，１０５Ｄは、円形の穴であるが、これに限定されるものではなく、例えば以下の実施形態に示す構成を採用することも可能である。
【００５２】
例えば、図５Ａ、図５Ｂに示されるように、第２実施形態に係るロック装置２００は、第１実施形態に係るロック装置１００と異なることとして、その固定部材２０４，２０５が支点穴２０４Ｄ，２０５Ｄを有する。支点穴２０４Ｄ，２０５Ｄは、Ｙ方向に延びる長穴形状を呈し、支点棒１０７を遊嵌する穴である。支点棒１０７は、ロック部材２０３が回動するときに、支点穴２０４Ｄ，２０５Ｄに沿って上下する。作業員は、ロック部材２０３を回動させるとき、ロック部材２０３を＋Ｙ方向に引き上げてから回動させることができる。
【００５３】
第２実施形態に係るロック装置２００によれば、窪み１１５を設けなくてもロック部材２０３を回動させることができる。
【００５４】
第１実施形態におけるロック装置１００のロック部材１０３は、上記で説明した六角形に限定されるものではなく、例えば以下の実施形態に示す構成を採用することも可能である。
【００５５】
例えば、図６Ａ、図６Ｂに示されるように、第３実施形態に係るロック装置３００は、そのロック部材３０３の厚みの部分に四角形の形状を呈する六つの平面３０３Ａ〜３０３Ｆを有する。ロック部材３０３は、平面３０３Ｃが固定面１１２と対向して接触しているとき、プッシュスイッチ１０６を押圧する。ロック部材３０３は、この状態において、端部３０３Ｂ１から端部３０３Ｂ２に向かうにつれて固定面１１２から遠ざかる平面３０３Ｂを有する。したがって、ロック部材３０３を第３の状態に設定すると、平面３０３Ａは、固定面１１２との間に間隙をもって対向する。
【００５６】
第３実施形態に係るロック装置３００によれば、窪み１１５を設けなくてもロック部材３０３を回動させることができる。
【００５７】
第１実施形態におけるロック装置１００のロック部材１０３及び固定部材１０４，１０５は、上記のような形状に限定されるものではなく、例えば以下の実施形態に示す構成を採用することも可能である。
【００５８】
例えば、図７Ａ、図７Ｂに示されるように、第４実施形態に係るロック装置４００は、そのロック部材４０３及び固定部材４０４，４０５が例えば略直方体の形状を呈する鋼製ブロックである。ロック部材４０３は、支点棒４０７を中心にしてＺ軸回りに時計方向及び反時計方向に回動する。ロック部材４０３は、例えば平面４０３Ｄが固定面１１２に対向する位置に配置されているとき、平面４０３Ｃを含む片４０３Ｅが切欠き１０２Ａ又は１０２Ｂに入り込むように形成されている。ロック部材４０３は、例えば平面４０３Ｂが固定面１１２に対向する位置に配置されているとき、平面４０３Ｂが後述するプッシュスイッチ１０６を押圧するように形成されている。ロック部材４０３は、平面４０３Ａ，４０３Ｂ，４０３Ｄが固定面１１２と対向しているとき、固定面１１２との間に間隙を有して固定部材４０４，４０５に支持されている。
【００５９】
第４実施形態に係るロック装置４００によれば、窪み１１５を設けなくてもロック部材４０３を回動させることができるという効果を奏する。
【００６０】
＝＝＝まとめ＝＝＝
以上説明したとおり、本実施形態にかかる断路器１０００のロック装置１００は、送電線路を開路または閉路するためのブレード１１４を有する断路器１０００のロック装置であって、ブレード１１４に連動して回転し、外縁部に切欠き１０２（１０２Ａ，１０２Ｂ）を有する回転盤１０１と、押圧されていない状態では回転盤１０１を電気的にロックし、押圧された状態では回転盤１０１の電気的なロックを解除するプッシュスイッチ１０６と、切欠き１０２に入れると回転盤１０１を機械的にロックする第１の状態となり、切欠き１０２から外れるとプッシュスイッチ１０６を押圧する第２の状態となるロック部材１０３とを備える。本実施形態にかかるロック装置１００によれば、機械ロック及び電気ロックを同一のロック装置で行うため、断路器１０００の機械ロックを解除しなければ電気ロックを解除できない。よって、作業員が、機械ロックを解除せずに電気的に操作して断路器１０００を損傷させる事故を回避できる。
【００６１】
また、本実施形態にかかる断路器１０００のロック装置１００において、ロック部材１０３は、さらに、切欠き１０２から外れて、かつプッシュスイッチ１０６を押圧していない第３の状態となる。本実施形態にかかるロック装置１００によれば、点検時に、電気ロックを解除せず、機械ロックを解除して、断路器１０００を機械的に操作できる。これにより、点検時に、外部からの予期しない電気的信号の入力によって断路器１０００を電気的に動作させないようにでき、作業員の安全を確保できる。
【００６２】
さらに、本実施形態にかかる断路器１０００のロック装置１００は、ロック部材１０３が第２の状態から動かないようにロック部材１０３を固定する固定部材１０４をさらに備える。本実施形態にかかるロック装置１００によれば、ロック部材１０３がプッシュスイッチ１０６を押圧した状態を維持できるようにするものであるため、ロック装置１００の電気ロックを解除している状態を確実に維持できる。
【００６３】
さらに、本実施形態にかかる断路器１０００のロック装置１００は、ロック部材１０３が第３の状態から動かないようにロック部材１０３を固定する固定部材１０４をさらに備える。本実施形態にかかるロック装置１００によれば、外力によって、ロック部材１０３が第３の状態から第１の状態又は第２の状態になることを回避することができるため、点検時に、作業員は安全に断路器１０００を操作することができる。
【符号の説明】
【００６４】
１００    ロック装置
１０１    回転盤
１０２    切欠き
１０３    ロック部材
１０４    固定部材
１０６    プッシュスイッチ
１１４    ブレード
１０００  断路器
【図１】
2018098006.tif 000003
【図２Ａ】
2018098006.tif 000004
【図２Ｂ】
2018098006.tif 000005
【図３Ａ】
2018098006.tif 000006
【図３Ｂ】
2018098006.tif 000007
【図４Ａ】
2018098006.tif 000008
【図４Ｂ】
2018098006.tif 000009
【図５Ａ】
2018098006.tif 000010
【図５Ｂ】
2018098006.tif 000011
【図６Ａ】
2018098006.tif 000012
【図６Ｂ】
2018098006.tif 000013
【図７Ａ】
2018098006.tif 000014
【図７Ｂ】
2018098006.tif 000015